(57)【要約】【課題】  弁座下部に環状の空間が設けられ、環状の空間に連通する穴が弁座に穿設されている流水検知装置において、シール部材の押グセ防止およびシール部材とシール部材が嵌入される溝との間に流体が留まらないようにすることで止水性能が向上され、かつ組立てにおける作業性を考慮した流水検知装置の提供。【解決手段】  閉弁時に弁体２０と弁座の間を封止する第１のシールと、環状の空間１５に通じる穴Ｈの周囲に設置された第２のシールとが弁座上に連結した状態で設置され、第１のシールと第２のシールは弁座に刻設された溝３３、３８に埋め込まれて設置されており、第１のシールまたは第２のシールが埋め込まれている溝３３、３８から前記の環状の空間１５へ通水可能な隙間または通路が設置されている。【選択図】    図１
2006081592.tif 000002
【特許請求の範囲】
【請求項１】
弁座下部に環状の空間が設けられ、環状の空間に連通する穴が弁座に穿設されている流水検知装置において、前記穴の周囲に設置された第１のシールと、各々の第１のシールを環状に連結する第２のシールが弁座上に設置されていることを特徴とする流水検知装置。
【請求項２】
前記流水検知装置において、第１のシールと第２のシールは弁座に刻設された溝に埋め込まれて設置されており、第１のシールまたは第２のシールが埋め込まれている溝から前記の環状の空間へ通水可能な隙間または通路が設置されていることを特徴とする請求項１記載の流水検知装置。
【請求項３】
前記流水検知装置において、第１のシールは、弁座上に穿設された前記穴の内周と、該穴に嵌入される円筒形状のシール保持片の外周段部により形成された溝に埋め込まれており、シール保持片の外周段部から円筒内部に通じる通路が形成されていることを特徴とする請求項１記載の流水検知装置。
【発明の詳細な説明】
【技術分野】
【０００１】
本発明は、スプリンクラー設備に用いられる流水検知装置、特に流水の一部を自動警報弁の外に信号水として流出させ、これを検知することにより警報を発する流水検知装置に関するものである。
【背景技術】
【０００２】
流水検知装置は、スプリンクラー設備の配管に流水が生じた際に流水を検知し、信号を発する装置であり、スイング式の逆止弁を用いたものがある（例えば、特許文献１参照）。
【０００３】
該バルブの一次側は水源と接続され、二次側はスプリンクラーヘッドが設置された配管に接続されている。弁体の弁座と接触する側の面には、シール部材としてゴムシートが設けられている。
【０００４】
弁座面には複数の穴が穿設され、穴の奥は中間室と呼ばれる環状の空間が設けられており、該中間室から外部に通じる警報用水路を設け、警報用水路には圧力スイッチ等の警報発生装置が接続されている。
【０００５】
上記の流水検知装置において火災が発生すると、流水検知装置の二次側に設置されたスプリンクラーヘッドが作動し、二次側配管内の水が作動したスプリンクラーヘッドから外部に流出する。すると流水検知装置の一次側の圧力よりも二次側の圧力が低くなり、流水検知装置の弁体が回動して開き一次側から二次側へ水が流れ込む。
【０００６】
弁体が開くと、弁座面に穿設された穴にも水が流入し、水は穴を通って前述の中間室に流れ込み、さらに警報用水路内を通り警報発生装置を作動させる。警報発生装置の作動によって、館内に火災が発生したことを報知したり、ポンプ等の給水装置を起動させて作動したスプリンクラーヘッドに送水を行い火災が消火される。
【０００７】
しかしながら、上記の流水検知装置は、弁座面に複数の穴が穿設されており、また流水検知装置は通常閉弁状態にあることから、弁体側に設置したゴムシートに弁座面の穴の跡が弁を開放した後も戻らずに残る、いわゆる押グセがついてしまう問題があった。
【０００８】
ゴムシートに押グセがついた状態であると、開いた弁体を閉じる際に弁体が元の位置より偏って着座するとゴムシートの押グセがついた部分と弁座の穴の位置がずれて、隙間を生じてしまい充分な止水効果を発揮できない場合がある。
【０００９】
上記の問題を解決する一つの手段が、本出願人によって出願されている（特願２００３−３３３１８７号）。これは、弁体と弁座の間に設けたシール部材であるゴムシートの弁座接触面に凹みを設けて閉弁時にゴムシートが弁座の穴に接触しないように構成したものである。
【００１０】
【特許文献１】実開昭４９−１０６９３４号公報（第１−２頁、第４図）
【発明の開示】
【発明が解決しようとする課題】
【００１１】
上記の本出願人による流水検知装置には、実施例として弁座面に穿設された各々の穴の外側に環状のシール部材が接触されるように構成したものが記載されているが、組立ての際には弁体側に設置されたシール部材の位置と弁座の穴位置がずれないように位置を確認しながら作業する必要があった。
【００１２】
そこで本発明では、シール部材の押グセ防止およびシール部材とシール部材が嵌入される溝との間に流体が留まらないようにすることで止水性能が向上され、かつ組立てにおける作業性を考慮した流水検知装置の提供を目的としている。
【課題を解決するための手段】
【００１３】
上記の目的を達成するために、請求項１記載の発明は、弁座下部に環状の空間が設けられ、環状の空間に連通する穴が弁座に穿設されている流水検知装置において、前記穴の周囲に設置された第１のシールと、各々の第１のシールを環状に連結する第２のシールが弁座上に設置されている流水検知装置である。
【００１４】
請求項２記載の発明は、前記流水検知装置において、第１のシールと第２のシールは弁座に刻設された溝に埋め込まれて設置されており、第１のシールまたは第２のシールが埋め込まれている溝から前記の環状の空間へ通水可能な隙間または通路が設置されている請求項１記載の流水検知装置である。
【００１５】
請求項３記載の発明は、前記流水検知装置において、第１のシールは、弁座上に穿設された前記穴の内周と、該穴に嵌入される円筒形状のシール保持片の外周段部により形成された溝に埋め込まれており、シール保持片の外周段部から円筒内部に通じる通路が形成されている請求項１記載の流水検知装置である。
【発明の効果】
【００１６】
請求項１記載の発明によれば、第１のシールおよび第２のシールを弁座上に設けたことでシールが所定位置に固定設置され、従来品のように弁体の開閉によってシールの位置がずれることが無くなる。
【００１７】
請求項２、３記載の発明によれば、第１のシールまたは第２のシールが埋め込まれている溝から環状の空間へ通水可能としたことで、シールが埋め込まれている溝に流体が留まることを防止できるので、シールが常に安定して作用するようになる。
【実施例】
【００１８】
以下、この発明の実施例を図１から図４を参照して説明する。図１は本発明の流水検知装置の縦断面図。図２は弁座部分の拡大断面図。図３は弁座の平面図。図４はシール部材の他の実施形態である。
【００１９】
実施例の流水検知装置は、ボディ１０、弁体２０、シートリング３０、シール部材４０等から構成される。
【００２０】
ボディ１０は、中空体であり両端には配管と接続するためのフランジが設けてある。内部は隔壁１１によって一次側Ｉと二次側ＩＩに分けられている。一次側Ｉは水源に通じる配管に接続され、二次側ＩＩはスプリンクラーヘッドが設けられた配管と接続する。
【００２１】
隔壁１１には穴が穿設されており、該穴の周面には水平な溝１２が刻設されている。該溝１２から外部へ通じる水路１３が設けられ、水路１３は警報発生装置５０へと通じている。
【００２２】
穴の下部には牝ネジ１４が設けられ、該牝ネジ１４には後述のシートリング３０の牡ネジ３１が螺入される。シートリング３０を穴に螺合させたことで、シートリング３０の外周と前述の溝１２との間に中間室１５という環状の空間が形成される。
【００２３】
弁体２０は、ボディ１０の一次側Ｉと二次側ＩＩとの流通を閉止・開放するもので、ボディ１０の内部に軸２１によって回動自在に設置されている。弁体中央には穴２２が穿設されている。
【００２４】
穴２２に嵌め込まれる支持材２４の中心は上に伸びた円筒２６となっており、該円筒２６内部は逆止弁構造をしており、一次側Ｉから二次側ＩＩへの通水が可能となっている。これは、二次側ＩＩの水が微量の漏れや温度変化等によって二次側ＩＩの圧力が低下した場合に弁体２０が開く前に逆止弁が開放され二次側ＩＩに一次側Ｉの水を送る作用を有する。
【００２５】
支持材２４は円筒２６を弁体の穴２２へ挿通させ、円筒２６の外周に設けられた牡ネジにロックナット２７を螺入させることで弁体２０に固定される。
【００２６】
シートリング３０は、円筒形状をしており外周下部には牡ネジ３１が螺設され、前述のようにボディ１０の牝ネジ１４と螺合してシートリング３０がボディ１０に設置される。
【００２７】
シートリング３０の上部はフランジ３２となっている。フランジ３２の上面は弁座となっており、弁座面には円周形状の溝３３が刻設され、該溝３３上に複数の穴３４・・・が穿設されフランジ面を貫通している。
【００２８】
穴３４には、内部に貫通穴Ｈを有した円筒形状のシール保持片３５が嵌め込まれる。シール保持片３５の外周上部には段３６Ａが形成されており、段３６Ａから中間室１５へ通じる孔３７が穿設されている。
【００２９】
穴３４の上端部分には、段３６Ｂが形成されており、穴３４にシール保持片３５が嵌め込まれると段３６Ａ、３６Ｂによってシール保持片３５の貫通穴Ｈの周囲に環状の溝３８が形成される。各々の貫通穴Ｈの周囲に形成された溝３８は、溝３３によって連結されている。
【００３０】
シール部材４０は、前述の溝３３、３８内に埋め込まれて設置されており、平面形状は図３に示すように該溝３３、３８と略同じになっている。断面形状は円形である。シール部材４０の他の実施形態として図４に示すものを用いることも可能である。
【００３１】
警報発生装置５０は、前述のように流水検知装置が作動したときに信号を出力するものであり、前述の水路１３に接続された分岐管の一側に設置されている。分岐管の他側には、オリフィス５１が接続され、オリフィス５１を通過した水は排水配管Ｄから外部に排出される。
【００３２】
次に、本発明の流水検知装置の作用について説明する。
【００３３】
上記の流水検知装置は、ボディ１０の一次側Ｉが給水装置が設けられた配管と接続され、二次側ＩＩはスプリンクラーヘッドが設けられた配管と接続されており、一次側Ｉ及び二次側ＩＩは充水されていて、弁体２０は閉じた状態にある。
【００３４】
その際、弁座に刻設された溝３３、３８内に設けられたシール部材４０は、弁座面より僅かに突出した状態であり、シール部材４０が弁体下面と接触している。溝３８内のシール部材４０は、溝３８の外周側から水の圧力が加えられているので、中間室１５に通じる孔３７は塞がれた状態となっている。
【００３５】
火災が発生すると、火災付近のスプリンクラーヘッドが作動して、配管内の水がスプリンクラーヘッドより流出する。
【００３６】
すると流水検知装置の二次側ＩＩの圧力が一次側Ｉの圧力よりも低下して、弁体２０が回動し、一次側Ｉの水が二次側ＩＩに流れ込む。と同時に弁体２０が開放されたことで弁座に設けられた貫通穴Ｈにも水が流入し、中間室１５から水路１３を通り、警報発生装置５０に流れる。
【００３７】
警報発生装置５０は、水路１３から流れてきた水の圧力によって作動し、警報を発すると共に図示しないポンプを起動させて、一次側Ｉから二次側ＩＩへ送水を行い作動したスプリンクラーヘッドから水を連続的に散布して火災が鎮圧される。
【００３８】
続いて、流水検知装置がポンプの起動による水の振動によって瞬時的に弁体が開閉された場合の作用について説明する。
【００３９】
上記の理由等によって流水装置の弁体が瞬時的に開閉すると、弁座に設けられた貫通穴Ｈから水が流入して中間室１５に流れ込むが、水は水路１３を通って警報発生装置５０に達することなくオリフィス５１を通過して排水配管Ｄに流れ込み外部へと排出されるので警報発生装置５０が作動することはない。
【００４０】
その際、溝３３、３８とシール部材４０の隙間にも水が流入するが、溝内の水は、孔３７から中間室１５へ流れ、前述のように外部に排出されるので、溝内に水が残ってシール部材４０が溝から浮き出ることが防止され安定したシール性能を得ることができる。
【図面の簡単な説明】
【００４１】
【図１】本発明の流水検知装置の縦断面図
【図２】弁座部分の拡大断面図
【図３】弁座の平面図
【図４】シール部材の他の実施形態
【符号の説明】
【００４２】
１０  ボディ
２０  弁体
３０  シートリング
３３  溝
３４  穴
３５  シール保持片
３７  孔
３８  溝
４０  シール部材
【図１】
2006081592.tif 000003
【図２】
2006081592.tif 000004
【図３】
2006081592.tif 000005
【図４】
2006081592.tif 000006